(57)【要約】【課題】  第１遠心圧縮機２７の圧縮機効率を十分に高めつつ、第１遠心圧縮機２７の作動域を小流量側へ拡大すること。【解決手段】  第１ハウジング２９内における第１インペラ３７の出口側に、圧縮した空気を減速させて昇圧する環状の第１ディフューザ４５が形成され、第１ディフューザ４５内に、圧縮した空気を整流する複数の第１案内羽根が円周方向に間隔を置いて配設され、各第１案内羽根４７の後縁４７ｂ側におけるシュラウド端部４７ｓに、切欠５１が形成され、各第１案内羽根４７は、切欠５１によって１００％コードの長コード部分ＢＬと、長コード部分ＢＬよりもコード長の短い短コード部分ＢＳとに羽根高さ方向に沿って区分されている。【選択図】  図１
2015190383.tif 000002
【特許請求の範囲】
【請求項１】
遠心力を利用して流体を圧縮する遠心圧縮機において、
内側にシュラウドを有したハウジングと、
前記ハウジング内に回転可能に設けられ、ハブ面が軸方向一方側から半径方向外側に向かって延びたディスク、及び前記ディスクのハブ面にその周方向に間隔を置いて一体的に設けられかつ先端縁が前記ハウジングの前記シュラウドに沿うように延びた複数のインペラブレードを備えたインペラと、を具備し、
前記ハウジング内における前記インペラの出口側に、圧縮した流体を減速させて昇圧する環状のディフューザが形成され、前記ディフューザ内に圧縮した流体を整流する複数の案内羽根が円周方向に間隔を置いて配設され、
各案内羽根の後縁側におけるシュラウド端部又はハブ端部のうちの少なくともいずれかに切欠が形成され、各案内羽根が前記切欠によって１００％コードの長コード部分と前記長コード部分よりもコード長の短い短コード部分とに羽根高さ方向に沿って区分されていることを特徴とする遠心圧縮機。
【請求項２】
各案内羽根の前記短コード部分のコード長が５０〜９０％コードに設定されていることを特徴とする請求項１に記載の遠心圧縮機。
【請求項３】
各案内羽根の前記切欠の高さが前記案内羽根の羽根高さの３〜１２％に設定されていることを特徴とする請求項１又は請求項２に記載の遠心圧縮機。
【請求項４】
各案内羽根の前記短コード部分の後縁が前記案内羽根間のスロート位置よりも下流側に位置していることを特徴とする請求項１から請求項３のうちのいずれか１項に記載の遠心圧縮機。
【請求項５】
遠心力を利用して流体を段階的に圧縮する多段圧縮装置において、
少なくともいずれかの段の遠心圧縮機に請求項１から請求項４のうちのいずれか１項に記載の遠心圧縮機を用いたことを特徴とする多段圧縮装置。
【発明の詳細な説明】
【技術分野】
【０００１】
本発明は、遠心力を利用して流体（空気等のガスを含む）を圧縮する遠心圧縮機等に関する。
【背景技術】
【０００２】
近年、産業機械、ガスタービン等に用いられる遠心圧縮機について種々の研究開発がなされており、遠心圧縮機の一般的な構成について簡単に説明すると、次のようになる（特許文献１及び特許文献２等参照）。
【０００３】
遠心圧縮機は、ハウジングを具備しており、このハウジングは、内側に、シュラウドを有している。そして、ハウジング内には、インペラがその軸心（インペラの軸心）周りに回転可能に設けられている。また、インペラは、ディスクを備えており、このディスクのハブ面は、軸方向一方側（インペラの軸方向の一方側）から半径方向外側（インペラの半径方向の外側）に向かって延びている。更に、ディスクのハブ面には、複数のインペラブレードが周方向（ディスクのハブ面の周方向）に間隔を置いて一体的に設けられており、各インペラブレードの先端縁は、ハウジングのシュラウドに沿うように延びている。
【０００４】
ハウジング内におけるインペラの出口側には、圧縮した流体（圧縮流体）を減速させて昇圧する環状のディフューザが形成されている。また、半径方向外側へ流体の転向を促進して、遠心圧縮機の圧縮機効率を高めるために、通常、ディフューザ内には、圧縮した流体を整流する複数の案内羽根（ディフューザベーン）が円周方向（所定の円周方向）に間隔を置いて配設されている。
【先行技術文献】
【特許文献】
【０００５】
【特許文献１】特開２０１３−１１９８２８号公報
【特許文献２】特開２０１２−５７４８９号公報
【発明の概要】
【発明が解決しようとする課題】
【０００６】
ところで、案内羽根が遠心圧縮機の作動域を決定することが多く、小流量側の作動域において流体の流れ角（インペラの半径方向に対する流れの角度）が大きく、流体の流れと案内羽根のミスマッチ（流体の流れに対する案内羽根の羽根角の食い違い）の度合いが高くなる。このような場合には、図５に示すように、案内羽根の後縁側に遠心圧縮機のサージに繋がる剥離域が発達して、遠心圧縮機の作動域を小流量側へ拡大することが困難になる。なお、案内羽根のコード長を短くすることにより、遠心圧縮機のサージを抑えて、遠心圧縮機の作動域を小流量側に拡大することができるものの、案内羽根の整流性（ガイド性）が低下して、遠心圧縮機の圧縮機効率の低下を招くことになる。
【０００７】
つまり、遠心圧縮機の圧縮機効率を十分に高めつつ、遠心圧縮機の作動域を小流量側へ拡大することは容易でないという問題がある。
【０００８】
そこで、本発明は、前述の問題を解決することができる、新規な構成からなる遠心圧縮機を提供することを目的とする。
【課題を解決するための手段】
【０００９】
本発明の第１の特徴は、遠心力を利用して流体を圧縮する遠心圧縮機において、内側にシュラウドを有したハウジングと、前記ハウジング内に回転可能に設けられ、ハブ面が軸方向一方側から半径方向外側に向かって延びたディスク、及び前記ディスクのハブ面にその周方向（前記ディスクのハブ面の周方向）に間隔を置いて一体的に設けられかつ先端縁が前記ハウジングの前記シュラウドに沿うように延びた複数のインペラブレードを備えたインペラと、を具備し、前記ハウジング内における前記インペラの出口側に、圧縮した流体を減速させて昇圧する環状のディフューザ（ディフューザ流路）が形成され、前記ディフューザ内に圧縮した流体を整流する（半径方向外側へ案内する）複数の案内羽根（ディフューザベーン）が円周方向（所定の円周方向）に間隔を置いて配設され、各案内羽根の後縁側におけるシュラウド端部又はハブ端部のうちの少なくともいずれかに切欠（スリット）が形成され、各案内羽根が前記切欠によって１００％コードの長コード部分（長翼部分）と前記長コード部分よりもコード長の短い短コード部分（短翼部分）とに羽根高さ方向（軸方向に平行な方向）に沿って区分されていることを要旨とする。
【００１０】
なお、本願の明細書及び特許請求の範囲において、「設けられ」とは、直接的に設けられたことの他に、別部材を介して間接的に設けられたことを含む意であって、「一体的に設けられ」とは、一体形成されたことを含む意である。「配設され」とは、直接的に配設されたことの他に、別部材を介して間接的に配設されたことを含む意である。また、「軸方向一方側」とは、軸方向の一方側のことをいい、「軸方向」とは、インペラの軸方向のことをいう。「半径方向外側」とは、半径方向の外側のことをいい、「半径方向」とは、インペラの半径方向のことをいう。更に、「シュラウド端部」とは、ディフューザのシュラウド側壁面に対向する側の端部のことをいい、「シュラウド側壁面」とは、ハウジングのシュラウドを半径方向外側へ延長した面側に位置する壁面のことをいう。「ハブ端部」とは、ディフューザのハブ側壁面に対向する側の端部のことをいい、「ハブ側壁面」とは、ディスクのハブ面を半径方向外側へ延長した面側に位置する壁面のことをいう。
【００１１】
第１の特徴によると、前記インペラをその軸心周りに回転させることにより、前記ハウジング内に流体を取り入れ、遠心力を利用して圧縮することができる。一方、圧縮した流体（圧縮流体）は、複数の前記案内羽根によって整流されながら前記ディフューザによって昇圧されて、前記ハウジングの外側へ排出される。
【００１２】
ここで、前記ディフューザにおける流体の流れ角（前記インペラの半径方向に対する流れ角）は前記案内羽根の羽根高さ方向に分布を持っている。一般に、前記案内羽根のシュラウド端部及びハブ端部における流体の流れ角が大きく、前記案内羽根のミッドスパンにおける流体の流れ角が小さくなる。それに伴い、前記遠心圧縮機の小流量側の作動域において、前記案内羽根のシュラウド端部及びハブ端部における、流体の流れと前記案内羽根のミスマッチの度合いが顕著になる傾向にある。
【００１３】
そして、前記遠心圧縮機においては、前述の前記ディフューザの流れ場の状態を考慮して、各案内羽根の後縁側におけるシュラウド端部又はハブ端部のうちの少なくともいずれかに前記切欠が形成され、各案内羽根が前記切欠によって前記長コード部分と前記短コード部分とに羽根高さ方向に沿って区分されている。これにより、前記案内羽根の前縁側の流体の導入性を含む前記案内羽根の整流性を十分に確保しつつ、前記遠心圧縮機の小流量側の作動域において、前記傾向を低減して、前記案内羽根の羽根高さ方向に亘って前記ミスマッチの度合いを小さくすることができる。
【００１４】
本発明の第２の特徴は、遠心力を利用して流体（空気等のガスを含む）を段階的に圧縮する多段圧縮装置において、上流段側の遠心圧縮機に第１の特徴からなる遠心圧縮機を用いたことを要旨とする。
【００１５】
第２の特徴によると、第１の特徴による作用と同様の作用を奏する。
【発明の効果】
【００１６】
本発明によれば、前記案内羽根の整流性を十分に確保しつつ、前記遠心圧縮機の小流量側の作動域において、前記案内羽根の羽根高さ方向に亘って前記ミスマッチの度合いを小さくできるため、前記遠心圧縮機の圧縮機効率を十分に高めつつ、前記遠心圧縮機の作動域を小流量側へ拡大することができる。
【図面の簡単な説明】
【００１７】
【図１】図１は、本発明の実施形態に係る第１遠心圧縮機の平断面図である。
【図２】図２（ａ）は、図１における矢視部IIの拡大図であって、切欠が案内羽根の前縁側のシュラウド端部に形成された状態を示しており、図２（ｂ）は、切欠が案内羽根の前縁側のハブ端部に形成された状態を示している
【図３】図３は、図２におけるIII-III線に沿った図であって、図３（ａ）は、第１案内羽根の短コード部分の後縁が所定の曲面を呈した状態を示しており、図３（ｂ）は、第１案内羽根の短コード部分の後縁側が先細り形状を呈した状態を示している。
【図４】図４は、本発明の実施形態に係る多段圧縮装置の平断面図である。
【図５】図５は、本発明の課題を説明するための図であって、ディフューザを軸方向から見た模式図である。
【発明を実施するための形態】
【００１８】
本発明の実施形態について図１から図４を参照して説明する。なお、図面に示す通り、「ＦＦ」は、前方向、「ＦＲ」は、後方向、「Ｒ」は、右方向、「Ｌ」は、左方向、「Ｄ１」は、軸方向、「Ｄ２」は、半径方向、「Ｄ３」は、円周方向、「Ｄ４」は、羽根高さ方向である。
【００１９】
図４に示すように、本発明の実施形態に係る多段圧縮装置１は、遠心力を利用して空気を段階的に圧縮するものである。そして、多段圧縮装置１の具体的な構成は、以下のようになる。
【００２０】
多段圧縮装置１は、前後方向へ延びた箱形のベースフレーム３を具備しており、このベースフレーム３の前部には、左右方向へ延びたフロント回転軸５が複数のベアリング７を介して回転可能に設けられている。また、ベースフレーム３の後部には、左右方向へ延びたリア回転軸９が複数のベアリング１１を介して回転可能に設けられており、このリア回転軸９は、フロント回転軸５に対して平行である。
【００２１】
ベースフレーム３におけるフロント回転軸５とリア回転軸９との間には、左右方向へ延びた駆動軸１３がベアリング１５を介して回転可能に設けられており、この駆動軸１３は、フロント回転軸５及びリア回転軸９に対して平行である。また、駆動軸１３は、増速歯車機構１７を介してフロント回転軸５及びリア回転軸９に連動連結してある。そして、増速歯車機構１７は、駆動軸１３に一体的に設けられた主動歯車１９と、フロント回転軸５に一体的に設けられかつ主動歯車１９に噛合したフロント従動歯車２１と、リア回転軸９に一体的に設けられかつ主動歯車１９に噛合したリア従動歯車２３とからなっている。更に、ベースフレーム３の外側の適宜位置には、駆動軸１３を回転させる回転モータ２５が設けられており、この回転モータ２５の出力軸（図示省略）は、カップリング（図示省略）を介して駆動軸１３に連動連結してある。
【００２２】
ベースフレーム３の左側の前部には、遠心力を利用して空気を圧縮する第１遠心圧縮機２７が配設されており、この第１遠心圧縮機２７の構成は、次のようになる。
【００２３】
図１及び図４に示すように、第１遠心圧縮機２７は、多段圧縮装置１における上流段側の遠心圧縮機であって、第１ハウジング２９を具備している。また、第１ハウジング２９は、内側にシュラウド３１ｓを有した第１ハウジング本体３１と、この第１ハウジング本体３１の右側に設けられかつベースフレーム３の左側下部に固定された環状の第１シールプレート３３とを備えている。なお、第１シールプレート３３には、第１ハウジング２９から空気の漏れを防止する第１パッキン３５が設けられている。
【００２４】
第１ハウジング２９内には、第１インペラ３７がその軸心（第１インペラ３７の軸心）周りに回転可能に設けられており、この第１インペラ３７は、フロント回転軸５の左端部に一体的に連結されている。また、第１インペラ３７は、第１ディスク３９を備えており、この第１ディスク３９のハブ面３９ｈは、左方向（第１インペラ３７の軸方向一方側）から半径方向外側（第１インペラ３７の半径方向の外側）へ延びている。そして、第１ディスク３９のハブ面３９ｈには、複数の第１インペラブレード４１が周方向（第１ディスク３９のハブ面３９ｈの周方向）に間隔を置いて一体形成されており、各第１インペラブレード４１の先端縁４１ｔは、第１ハウジング本体３１のシュラウド３１ｓに沿うように延びている。
【００２５】
第１ハウジング２９における第１インペラ３７の入口側（主流の流れ方向から見て上流側）には、空気を第１インペラ３７側に取入れるための第１取入口４３が形成されている。また、第１ハウジング２９内における第１インペラ３７の出口側（主流の流れ方向から見て下流側）には、圧縮した空気を減速させて昇圧する環状の第１ディフューザ（第１ディフューザ流路）４５が形成されている。ここで、第１ディフューザ４５のシュラウド側壁面４５ｓは、第１ハウジング本体３１のシュラウド３１ｓを半径方向外側へ延長した面側に位置しており、第１ディフューザ４５のハブ側壁面４５ｈは、第１ディスク３９のハブ面３９ｈを半径方向外側へ延長した面側に位置する壁面に位置している。そして、第１ディフューザ４５内には、圧縮した空気を整流する（半径方向外側へ案内する）複数の第１案内羽根（第１ディフューザベーン）４７が円周方向（所定の円周方向）に間隔を置いて配設されている。
【００２６】
第１ハウジング２９内における第１ディフューザ４５の出口側には、渦巻き状の第１スクロール（第１スクロール流路）４９が形成されており、第１スクロール４９は、第１ディフューザ４５に連通してある。また、第１スクロール４９の断面積は、主流の流れ方向（巻き始め側から巻き終わり側）に沿って漸次大きくなるように構成されている。更に、第１ハウジング２９の適宜位置には、圧縮された空気を第１ハウジング２９の外側へ排出するための第１排出口（図示省略）が形成されている。
【００２７】
続いて、本発明の実施形態に係る第１遠心圧縮機２７の特徴部分について説明する。
【００２８】
図１及び図２（ａ）に示すように、各第１案内羽根４７の後縁４７ｂ側におけるシュラウド端部４７ｓには、矩形状の切欠（スリット）５１が形成されている。また、各第１案内羽根４７の後縁４７ｂ側におけるシュラウド端部４７ｓの代わりに、図２（ｂ）に示すように、各第１案内羽根４７の後縁４７ｂ側におけるハブ端部４７ｈに矩形状の切欠５１が形成されるようにしても構わない。或いは、図示は省略するが、各第１案内羽根４７の後縁４７ｂ側におけるシュラウド端部４７ｓ及びハブ端部４７ｈに矩形状の切欠５１がそれぞれ形成されるようにしても構わない。
【００２９】
図２（ａ）（ｂ）に示すように、各第１案内羽根４７は、切欠５１によって１００％コードの長コード部分（長翼部分）ＢＬと、長コード部分ＢＬよりもコード長の短い短コード部分（短翼部分）ＢＳとに羽根高さ方向に沿って区分されている。また、図３（ａ）に示すように、各第１案内羽根４７の短コード部分ＢＳの後縁ＢＳｂは、第１インペラ３７（図１参照）の軸心を中心とした円周Ｓ上に位置する所定の曲面を呈している。なお、各第１案内羽根４７の短コード部分ＢＳの後縁ＢＳｂが所定の曲面を呈する代わりに、図３（ｂ）に示すように、各第１案内羽根４７の短コード部分ＢＳの後縁ＢＳｂ側は、各第１案内羽根４７の負圧面４７ｎにおける長コード部分ＢＬと短コード部分ＢＳの間に段差４７ｕが付くような先細り形状を呈しても構わない。更に、第１案内羽根４７の整流性の低下を抑えるために、各第１案内羽根４７の短コード部分ＢＳの後縁ＢＳｂは、第１案内羽根４７間のスロート位置ＳＰよりも下流側に位置している。
【００３０】
ここで、各第１案内羽根４７の切欠５１の高さ（羽根高さ方向の長さ）ｋは、第１案内羽根４７の羽根高さｊの３〜１２％に設定されている（図２（ａ）（ｂ）参照）。各第１案内羽根４７の切欠５１の高さｋが第１案内羽根４７の羽根高さｊの３％未満であると、第１案内羽根４７のシュラウド端部４７ｓ又はハブ端部４７ｈにおける、空気の流れと第１案内羽根４７のミスマッチの度合いを十分に低減することが困難になるからである。各第１案内羽根４７の切欠５１の高さｋが第１案内羽根４７の羽根高さｊの１２％を超えると、第１案内羽根４７の整流性の低下が懸念されるからである。なお、各第１案内羽根４７の後縁４７ｂ側におけるシュラウド端部４７ｓ及びハブ端部４７ｈに切欠５１がそれぞれ形成された場合には、各第１案内羽根４７の切欠５１の高さｋとは、２つの切欠５１の高さの合計になる。
【００３１】
各第１案内羽根４７の短コード部分ＢＳのコード長ｍは、５０〜９０％コードに設定されている（図３（ａ）（ｂ）参照）。各第１案内羽根４７の短コード部分ＢＳのコード長ｍが５０％コード未満であると、第１案内羽根４７の整流性の低下が懸念されるからである。各第１案内羽根４７の短コード部分ＢＳのコード長ｍが９０％コードを超えると、各第１案内羽根４７の切欠５１の長さが短くなって、第１案内羽根４７のシュラウド端部４７ｓ又はハブ端部４７ｈにおける、空気の流れと第１案内羽根４７のミスマッチの度合いを十分に低減することが困難になるからである。
【００３２】
図４に示すように、ベースフレーム３の右側の前部には、遠心力を利用して第１遠心圧縮機２７からの空気（第１段階の圧縮空気）を圧縮する第２遠心圧縮機５３が配設されている。また、第２遠心圧縮機５３は、多段圧縮装置１における中流段側の遠心圧縮機であって、第１遠心圧縮機２７に比べて、容量が小さくなっている。そして、第２遠心圧縮機５３は、第１遠心圧縮機２７と同様に、第２ハウジング５５（第２ハウジング本体５７と第２シールプレート５９）、第２パッキン６１、第２インペラ６３（第２ディスク６５と複数の第２インペラブレード６７）、第２取入口６９、第２ディフューザ７１、複数の第２案内羽根７３、第２スクロール７５、及び第２排出口（図示省略）を構成要素としている。ここで、第２インペラ６３は、フロント回転軸５の右端部に一体的に連結されており、第２取入口６９は、第１遠心圧縮機２７における第１排出口に配管（図示省略）を介して接続されている。また、第２案内羽根７３は、第１案内羽根４７と同様の構成を有している。
【００３３】
ベースフレーム３の左側の後部には、遠心力を利用して第２遠心圧縮機５３からの空気（第２段階の圧縮空気）を圧縮する第３遠心圧縮機７７が配設されている。また、第３遠心圧縮機７７は、多段圧縮装置１における下流段側の遠心圧縮機であって、第１遠心圧縮機２７及び第２遠心圧縮機５３に比べて、容量が小さくなっている。そして、第３遠心圧縮機７７は、第１遠心圧縮機２７及び第２遠心圧縮機５３と同様に、第３ハウジング７９（第３ハウジング本体８１と第３シールプレート８３）、第３パッキン８５、第３インペラ８７（第３ディスク８９と複数の第３インペラブレード９１）、第３取入口９３、第３ディフューザ９５、複数の第３案内羽根９７、第３スクロール９９、及び第３排出口（図示省略）を構成要素としている。ここで、第３インペラ８７は、リア回転軸９の左端部に一体的に連結されており、第３取入口９３は、第２遠心圧縮機５３における第２排出口に配管（図示省略）を介して接続されている。また、第３案内羽根９７は、第１案内羽根４７と同様の構成を有している。
【００３４】
続いて、本発明の実施形態の作用及び効果について説明する。
【００３５】
回転モータ２５の駆動により駆動軸１３を回転させることにより、増速歯車機構１７を介してフロント回転軸５及びリア回転軸９を増速回転させる。これにより、第１遠心圧縮機２７における第１インペラ３７及び第２遠心圧縮機５３における第２インペラ６３をフロント回転軸５と一体的に増幅回転させると共に、第３遠心圧縮機７７における第３インペラ８７をリア回転軸９と一体的に増幅回転させることができる。
【００３６】
その結果、第１遠心圧縮機２７における第１取入口４３から第１インペラ３７側に空気を取り入れて、遠心力を利用して圧縮することができる。一方、圧縮された空気は、第１遠心圧縮機２７における複数の第１案内羽根４７によって整流されながら第１ディフューザ４５によって昇圧されて、第１スクロール４９を経由して第１排出口から第１ハウジング２９の外側へ第１段階の圧縮空気として排出され、第２遠心圧縮機５３における第２取入口６９側へ送られる。
【００３７】
続いて、第２遠心圧縮機５３における第２取入口６９から第２インペラ６３側に第１段階の圧縮空気を取り入れ、遠心力によって圧縮することができる。一方、圧縮された圧縮空気は、第２遠心圧縮機５３における複数の第２案内羽根７３によって整流されながら第２ディフューザ７１によって昇圧されて、第２スクロール７５を経由して第２排出口から第２ハウジング５５の外側へ第２段階の圧縮空気として排出され、第３遠心圧縮機７７における第３取入口９３側へ送られる。
【００３８】
更に、第３遠心圧縮機７７における第３取入口９３から第３インペラ８７側へ第２段階の圧縮空気を取り入れ、遠心力を利用して圧縮することができる。一方、圧縮された圧縮空気（第３段階の圧縮空気）は、第３遠心圧縮機７７における複数の第３案内羽根９７によって整流されながら第３ディフューザ９５によって昇圧されて、第３スクロール９９を経由して第３排出口から第３段階の圧縮空気として第３ハウジング７９の外側へ排出される（本発明の実施形態の通常の作用）。
【００３９】
ここで、第１遠心圧縮機２７において、第１ディフューザ４５における空気の流れ角（第１インペラ３７の半径方向に対する流れ角）は第１案内羽根４７の羽根高さ方向に分布を持っている。一般に、第１案内羽根４７のシュラウド端部４７ｓ及びハブ端部４７ｈにおける空気の流れ角が大きく、第１案内羽根４７のミッドスパンにおける空気の流れ角が小さくなる。それに伴い、第１遠心圧縮機２７の小流量側の作動域において、第１案内羽根４７のシュラウド端部４７ｓ及びハブ端部４７ｈにおける、空気の流れと第１案内羽根４７のミスマッチの度合いが顕著になる傾向にある。
【００４０】
そして、第１遠心圧縮機２７においては、前述の第１ディフューザ４５の流れ場の状態を考慮して、各第１案内羽根４７の後縁４７ｂ側におけるシュラウド端部４７ｓ又はハブ端部４７ｈのうちの少なくともいずれかに切欠５１が形成され、各第１案内羽根４７が切欠５１によって長コード部分ＢＬと短コード部分ＢＳと羽根高さ方向に沿って区分されている。これにより、第１案内羽根４７の前縁４７ａ側の空気の導入性を含む第１案内羽根４７の整流性を十分に確保しつつ、前記傾向を低減して、第１案内羽根４７の羽根高さ方向に亘って、第１遠心圧縮機２７の小流量側の作動域における前記ミスマッチの度合いを小さくすることができる。
【００４１】
同様に、第２案内羽根７３の前縁側の空気の導入性を含む第２案内羽根７３の整流性を十分に確保しつつ、第２案内羽根７３の羽根高さ方向に亘って、第２遠心圧縮機５３の小流量側の作動域における、空気の流れと第２案内羽根７３のミスマッチの度合いを小さくすることができる。また、第３案内羽根９７の前縁側の空気の導入性を含む第３案内羽根９７の整流性を十分に確保しつつ、第３案内羽根９７の羽根高さ方向に亘って、第３遠心圧縮機７７の小流量側の作動域における、空気の流れと第３案内羽根９７のミスマッチの度合いを小さくすることができる。
【００４２】
従って、本発明の実施形態によれば、第１案内羽根４７等の整流性を十分に確保しつつ、第１案内羽根４７等の羽根高さ方向に亘って、第１遠心圧縮機２７等の小流量側の作動域における前記ミスマッチの度合いを小さくできるため、第１遠心圧縮機２７等の圧縮機効率を十分に高めつつ、第１遠心圧縮機２７等の作動域を小流量側へ拡大することができる。換言すれば、多段圧縮装置１の圧縮機効率を十分に高めつつ、多段圧縮装置１の作動域を小流量側へ拡大することができる。
【００４３】
なお、本発明は、前述の実施形態の説明に限られるものではなく、例えば、多段圧縮装置１の第１遠心圧縮機２７に適用した技術的思想をガスタービン又は過給機の遠心圧縮機（図示省略）に適用しても構わない。また、第１遠心圧縮機２７が各第１案内羽根４７の切欠５１内に対して進退可能（進入及び退出可能）なスライド部材（図示省略）を具備しても構わない。そして、本発明に包含される権利範囲は、前述の実施形態に限定されないものである。
【符号の説明】
【００４４】
１：多段圧縮装置、２７：第１遠心圧縮機、２９：第１ハウジング、３１：第１ハウジング本体、３１ｓ：シュラウド、３７：第１インペラ、３９：第１ディスク、３９ｈ：ハブ面、４１：第１インペラブレード、４１ｔ：先端縁、４５：第１ディフューザ、４５ｓ：シュラウド側壁面、４７：第１案内羽根、４７ａ：前縁、４７ｂ：後縁、４７ｈ：ハブ端部、４７ｎ：負圧面、４７ｓ：シュラウド端部、５１：切欠、ＢＬ：長コード部分、ＢＳ：短コード部分、ＢＳｂ：後縁、ＳＰ：スロート位置、５３：第２遠心圧縮機、５５：第２ハウジング、６３：第２インペラ、６５：第２ディスク、６７：第２インペラブレード、７１：第２ディフューザ、７３：第２案内羽根、７７：第３遠心圧縮機、７９：第３ハウジング、８７：第３インペラ、８９：第３ディスク、９１：第３インペラブレード、９５：第３ディフューザ、９７：第３案内羽根
【図１】
2015190383.tif 000003
【図２】
2015190383.tif 000004
【図３】
2015190383.tif 000005
【図４】
2015190383.tif 000006
【図５】
2015190383.tif 000007